【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  通信ネットワーク上で加入者に情報を配送するための方法であって、前記ネットワークに、複数のデータプロバイダと、それぞれが一人の加入者に固有に関連付けられている複数の処理装置とが接続されているものに於いて、前記方法は以下の工程を有する、
前記複数の処理装置によって、前記ネットワークに接続された複数の情報ソースから情報の列を受信する、
各加入者によって少なくとも一つのデータプロバイダを選択して、前記ネットワークを介して前記少なくとも一つのデータプロバイダから受信されたデータを表示する、そして
前記情報列を、前記各加入者によって選択された前記少なくとも一つのデータプロバイダから受信された前記データと共に、関連する処理装置上に同時に、前記情報列と前記各加入者によってリクエストされた前記データとが同時に見られるように、連続的に表示する、ここで、前記関連処理装置上に表示される前記データは、前記各加入者によって選択可能であり、かつ、前記情報列の表示は、前記各加入者によって制御不能である。
【請求項２】  請求項１の方法であって、更に以下の工程を有する、
前記ネットワークに接続されたデータベースにプロファイルデータを格納する、
前記ネットワークに接続された複数の情報ソースから受信された複数の情報を前記データベースに格納する、
そして前記受信する工程は、前記各加入者の前記プロファイルデータに応じて、前記複数の情報から前記各加入者に対する前記情報列を選択し、前記各加入者に関連付けられた処理装置によって、前記各加入者の前記情報列を受信する工程を含む。
【請求項３】  請求項１又は２の方法であって、更に、前記各加入者からの入力に応答して別のデータプロバイダを選択する工程を有し、前記連続表示工程は、前記情報列を前記別のデータプロバイダから受信されたデータと同時に表示する。
【請求項４】  請求項１又は２の方法であって、前記連続表示工程は、前記各加入者によって選択された前記少なくとも一つのデータプロバイダから受信された前記データの前記表示に干渉することなく、前記情報列を表示する。
【請求項５】  請求項１又は２の方法であって、前記情報列を受信する工程は、以下の工程を有する、
ネットワークに接続されたデータベースから情報ＩＤ列を受信する、各情報ＩＤは、前記複数の情報ソース中の情報を固有に同定する、そして
前記情報ＩＤ列に応じて、前記複数の情報ソースから前記情報列を読み出す。
【請求項６】  請求項１又は２の方法であって、更に以下の工程を有する、
前記各加入者が前記ネットワークに接続することを許可されているか否かを判定するべく前記各加入者の許可を確認する、そして
もしも前記各加入者が前記ネットワークに接続することを許可されていないと判断された場合に、前記関連処理装置が前記情報列を表示することを禁止する。
【請求項７】  請求項６の方法であって、更に、もしも前記各加入者が前記ネットワークに接続することを許可されていないと判断された場合に、前記関連処理装置が、前記各加入者によって選択された前記少なくとも一つのデータプロバイダから受信された前記データを表示することを禁止する工程を有する。
【請求項８】  請求項１又は２の方法であって、更に以下の工程を有する、
前記各加入者が前記ネットワークに接続することを許可されているか否かを判定するべく前記各加入者の許可を確認する、そして
もしも前記各加入者が前記ネットワークに接続することを許可されていないと判断された場合に、前記関連処理装置が、前記各加入者によって選択された前記少なくとも一つのデータプロバイダから受信された前記データを表示することを禁止する。
【請求項９】  請求項１又は２の方法であって、前記情報列は、広告、メッセージ又は告知、ニュース及び最新情報のうちの少なくとも一つの列を含む。
【請求項１０】  請求項１又は２の方法であって、前記情報は、テキスト、画像、動画、映像成分と音声成分のうちの少なくとも一つを有する。
【請求項１１】  請求項７の方法であって、前記ネットワークはコンピュータネットワークであり、前記複数の処理装置は端末である。
【請求項１２】  請求項１１の方法であって、更に以下の工程を有する、
前記通信ネットワーク上の前記各加入者に対して固有の加入者ＩＤとパスワードとを割り当てる、そして
前記各加入者の前記加入者ＩＤと前記パスワードとをデータベースに格納する。
【請求項１３】  請求項１２の方法であって、更に、前記端末のそれぞれと、前記コンピュータネットワークとの間の接続を確立する工程を有する。
【請求項１４】  請求項１３の方法であって、各端末は入力装置を有し、そして
前記接続を確立する工程は以下の工程を有する、
前記各加入者によって前記入力装置に加入者ＩＤとパスワードとを入力して、前記各加入者に関連付けられた端末と前記通信ネットワークとの間の接続を開始する、
前記入力装置に入力された前記加入者ＩＤと前記パスワードとを確認のために前記データベースに送信する、
前記入力装置に入力された前記加入者ＩＤが前記データベースに格納されている前記加入者ＩＤの一つと一致するか否かを判定して許可加入者ＩＤを提供する、
前記許可加入者ＩＤが見つかった場合に、前記入力装置に入力された前記パスワードが前記許可加入者ＩＤと関連付けられた前記パスワードと一致することを確認する、そして
もしも前記入力装置に入力された前記パスワードが前記許可加入者ＩＤと関連付けられた前記データベースに格納されたパスワードと一致すると判定された場合に、前記各加入者と関連付けられた前記端末を前記コンピュータネットワークに接続する。
【請求項１５】  請求項４の方法であって、前記ネットワークはコンピュータネットワークであり、前記複数の処理装置は端末である。
【請求項１６】  請求項１５の方法であって、前記複数のデータプロバイダのそれぞれは、前記コンピュータネットワーク上のサーバであり、前記方法は、更に、前記各加入者によって前記少なくとも一つのデータプロバイダから表示するべきデータを選択する工程を有する。
【請求項１７】  請求項１６の方法であって、前記端末のそれぞれは入力装置を有し、前記データ選択工程は、以下の工程を有する、
前記コンピュータネットワークに接続された前記少なくとも一つのサーバからの前記データに対するリクエストを、前記各加入者に関連付けられた端末の前記入力装置に入力する、そして
前記データに対する前記リクエストを、前記各加入者に関連付けられた前記端末から前記少なくとも一つのサーバに送信する。
【請求項１８】  請求項１又は２の方法であって、前記ネットワークはコンピュータネットワークであり、前記情報列受信工程は、以下の工程を有する、
ネットワークに接続されたデータベースからアドレスの列を受信する、各アドレスは、前記複数の情報ソース中の前記情報の位置を示す、そして
前記アドレス列に応じて、前記複数の情報ソースから前記情報列を読み出す。
【請求項１９】  請求項７の方法であって、更に以下の工程を有する、
前記複数の処理装置のそれぞれに対して固有の加入者ＩＤを割り当てる、
もしも前記各加入者が前記ネットワークに接続することを許可されていると判定された場合、前記各加入者に対するログイン時間とログイン日付とを生成する、そして
前記加各入者が前記ネットワークに接続することを許可されていると判定された場合、前記各加入者に対する前記加入者ＩＤ、前記ログイン時間及び前記ログイン日付を、前記ネットワークに接続されたデータベースに格納する。
【請求項２０】  請求項１９の方法であって、前記ログイン時間とログイン日付を生成する前記工程は、以下の工程を有する、
前記ネットワークに接続されソースから、仮想日付と仮想時間を受信する、そして
前記各加入者に対する前記ログイン時間と前記ログイン日付とを、前記仮想時間と前記仮想日付との関数として生成する。
【請求項２１】  請求項１９又は２０の方法であって、更に以下の工程を有する、
処理装置がもはや前記ネットワークに接続されていないかどうかを判定する、そして
もしも前記各加入者に関連付けられた前記処理装置がもはや前記ネットワークに接続されていないと判定された場合、前記各加入者に対するログアウト時間とログアウト日付とを生成する、そして
もしも前記各加入者に関連付けられた前記処理装置がもはや前記ネットワークに接続されていないと判定された場合、前記各加入者に対する前記ログアウト時間とログアウト日付を前記データベースに格納する。
【請求項２２】  請求項２１の方法であって、更に次の工程を有する、
前記各加入者のセッション持続時間を、前記ログイン時間、前記ログイン日付、前記ログアウト日付及び前記ログアウト時間の関数として生成する、そして
前記各加入者の前記セッション持続時間を前記データベースに格納する。
【請求項２３】  請求項２２の方法であって、更に以下の工程を有する、
前記加入者ＩＤ、前記ログイン時間、前記ログイン日付、前記ログアウト日付、前記ログアウト時間及び前記セッション持続時間を含む前記各加入者に対するセッション使用記録を生成する、そして
前記各加入者に対する前記セッション使用記録を前記データベースに格納する。
【請求項２４】  請求項１又は２１の方法であって、更に以下の工程を有する、
前記情報列中の各情報に対して固有の情報ＩＤと情報持続時間とを割り当てて、複数の情報ＩＤと複数の情報持続時間とを提供する、
前記複数の情報ＩＤと前記複数の情報持続時間とを前記データベースに格納する、そして
ここで、前記連続表示工程は、前記情報列中の次の情報を表示する前に、前記各情報に対して割り当てられた前記情報持続時間、前記情報列中の前記各情報を表示する。
【請求項２５】  請求項２４の方法であって、更に以下の工程を有する、
前記情報列中のどの情報が、前記ログイン時間、前記ログイン日付、前記ログアウト日付、前記ログアウト時間、及び前記複数の情報持続時間の関数として前記関連処理装置上に表示されたかを判定して、前記各加入者に対する表示情報のリストを提供する、そして
前記各加入者に対する前記表示情報リストを前記データベースに格納する。
【請求項２６】  請求項２５の方法であって、前記各加入者に対する前記表示情報リストは、前記表示情報に対応する情報ＩＤのリストを含む。
【請求項２７】  請求項２６の方法であって、更に以下の工程を有する、
前記表示情報リスト中の各情報ＩＤが、前記ログイン時間、前記ログイン日付、前記ログアウト日付、前記ログアウト時間、及び前記複数の情報持続時間の関数として前記関連処理装置上に表示された日付と時間とを判定して、前記各加入者の前記表示情報リスト中の各情報ＩＤに対する表示日付と表示時間を提供する、そして
前記各加入者に対する前記表示情報リスト中の前記各情報ＩＤの前記表示日付と前記表示時間とを前記データベースに格納する。
【請求項２８】  請求項２７の方法であって、更に以下の工程を有する、
前記各加入者に対する前記表示情報リスト中の各情報ＩＤに対する情報表示記録を生成する、前記情報表示記録は、前記各加入者の情報ＩＤと前記加入者ＩＤ、及び前記表示日付、前記表示時間、及び前記情報ＩＤに関連付けられた前記情報持続時間を含む、そして
前記情報表示記録を前記データベースに格納する。
【請求項２９】  請求項２７の方法であって、更に以下の工程を有する、
前記関連処理装置の地域性に応じて前記各加入者に位置ＩＤを割り当てる、そして
前記各加入者に対する前記位置ＩＤを前記データベースに格納する。
【請求項３０】  請求項２９の方法であって、前記位置ＩＤは郵便番号を含み、前記関連処理装置は記憶装置を有し、そして、前記方法は更に以下の工程を有する、
前記各加入者に対する前記表示情報リスト中の各情報ＩＤに対する情報表示記録を生成する、前記情報表示記録は、情報ＩＤ、前記各加入者の前記加入者ＩＤ及び前記位置ＩＤ、そして、前記情報ＩＤに関連付けられた前記表示日付、前記表示時間、及び前記情報持続時間を含む、
前記情報表示記録を前記関連処理装置の前記記憶装置に格納する、そして
前記情報表示記録を前記データベースに送信する。
【請求項３１】  請求項２９の方法であって、更に以下の工程を有する、
前記各加入者に対して前記表示情報リスト中の各情報ＩＤに対する情報表示記録を生成する、前記情報表示記録は、情報ＩＤ、前記各加入者の前記加入者ＩＤ及び前記位置ＩＤ、そして、前記情報ＩＤに関連付けられた前記表示日付、前記表示時間、及び前記情報持続時間を含む、そして
前記情報表示記録を前記データベースに格納する。
【請求項３２】  請求項２２の方法であって、更に以下の工程を有する、
前記関連処理装置の地域性に応じて前記各加入者に位置ＩＤを割り当てる、そして
前記各加入者に対する前記位置ＩＤを前記データベースに格納する。
【請求項３３】  請求項３２の方法であって、前記位置ＩＤは郵便番号を含む。
【請求項３４】  請求項３２の方法であって、更に以下の工程を有する、
前記加入者ＩＤ、前記ログイン時間、前記ログイン日付、前記ログアウト日付、前記ログアウト時間、前記セッション持続時間及び前記位置ＩＤを含む前記各加入者に対するセッション使用記録を生成する、そして
前記各加入者に対する前記セッション使用記録を前記データベースに格納する。
【請求項３５】  請求項２１の方法であって、更に以下の工程を有する、
もしも前記各加入者が前記ネットワークに接続することを許可されていると判断された場合、前記関連処理装置によって特定間隔で、時報信号を生成する、
前記時報信号を前記データベースに送信する、
前記各加入者からの次の時報信号の予想時間を示すべく前記データベースを更新する、そして
ここで、前記ログアウト時間及びログアウト日付を生成する工程は、前記時報信号がほぼ前記予想時間内に前記関連処理装置から受信されなかった場合に、前記各加入者に対して前記ログアウト時間及びログアウト日付を生成する。
【請求項３６】  請求項４の方法であって、前記複数の処理装置のそれぞれは、第１部分と第２部分とを有するモニタと、入力装置とを有し、前記連続表示工程は、前記情報列を前記モニタの前記第１部分に表示し、各加入者によって選択された前記少なくとも一つのデータプロバイダから受信された前記データを前記モニタの前記第２部分に表示する。
【請求項３７】  請求項３６の方法であって、更に以下の工程を有する、
前記情報列中の各情報に対して固有の情報ＩＤと情報持続時間とを割り当てて、複数の情報ＩＤと複数の情報持続時間とを提供する、そして
前記複数の情報ＩＤと前記複数の情報時間とを前記ネットワークに接続されたデータベースに格納する、
ここで、前記連続表示工程は、前記情報列中の次の情報を表示する前に、前記各情報に対して割り当てられた前記情報持続時間、前記情報列中の前記各情報を表示する。
【請求項３８】  請求項３７の方法であって、前記モニタの前記第１部分は、複数のリンク領域と複数の非リンク領域とに分割され、前記複数のリンク領域のそれぞれは、前記複数のデータプロバイダの一つにリンクされ、前記方法は、更に、追加情報を受信するべく、前記各加入者によって前記複数のリンク領域の一つを選択する工程を有する。
【請求項３９】  請求項３８の方法であって、前記複数のデータプロバイダのそれぞれは、データプロバイダＩＤによって個別に同定され、前記方法は、更に以下の工程を有する、
前記関連処理装置に対して固有の加入者ＩＤを割り当てる、
前記情報列中のどの情報が、前記関連処理装置に関連付けられた前記モニタの前記第１部分上に表示されているかを検出して、表示情報ＩＤを提供する、
前記表示情報ＩＤに対応する情報が前記関連処理装置上に表示された日付と時間とを判定して、それぞれ、表示日付と表示時間を提供する、
前記複数のリンク領域中のどの一つのリンク領域が、前記表示情報ＩＤに対応する前記情報表示中に前記各加入者によって選択されたかを検出して選択データプロバイダＩＤを提供する、そして
もしも前記複数のリンク領域の前記一つのリンク領域が前記各加入者によって選択されたと検出された場合、前記データベースに、前記各加入者に対する前記加入者ＩＤ、前記表示情報ＩＤ、前記選択データプロバイダＩＤ、前記表示日付及び前記表示時間を格納する。
【請求項４０】  請求項３９の方法であって、更に以下の工程を有する、
前記関連処理装置の地域性に応じて前記各加入者に位置ＩＤを割り当てる、そして
前記各加入者に対する前記位置ＩＤを前記データベースに格納する。
【請求項４１】  請求項４０の方法であって、前記位置ＩＤは郵便番号を含み、前記関連処理装置は記憶装置を有し、そして、前記方法は更に以下の工程を有する、
前記各加入者に対して複数のクリックイベント記録を生成する、前記各加入者に対する前記各クリックイベント記録は一つの選択されたデータプロバイダＩＤと関連付けられ、前記各クリックイベント記録は、前記加入者ＩＤ、及び前記位置ＩＤ及び前記一つのデータプロバイダＩＤ、前記一つのデータプロバイダＩＤに関連付けられた前記表示情報、前記表示日付及び前記表示時間を含む、
前記各加入者に対する前記複数のクリックイベント記録を前記関連処理装置の前記記憶装置に格納する、そして
前記各加入者に対する前記複数のクリックイベント記録を前記データベースに送信する。
【請求項４２】  請求項４０の方法であって、更に以下の工程を有する、
前記各加入者に対して複数のクリックイベント記録を生成する、前記各加入者に対する前記各クリックイベント記録は一つの選択されたデータプロバイダＩＤと関連付けられ、前記各クリックイベント記録は、前記加入者ＩＤ、及び前記位置ＩＤ及び前記一つのデータプロバイダＩＤ、前記一つのデータプロバイダＩＤに関連付けられた前記表示情報、前記表示日付及び前記表示時間を含む、そして
前記各加入者に対する前記複数のクリックイベント記録を前記データベースに格納する。
【請求項４３】  請求項１又は２の方法であって、前記情報列中の各情報は、前記複数のデータプロバイダの一つからのデータに対するアンソリシットなリクエストである。
【請求項４４】  請求項４３の方法であって、前記データに対するアンソリシットなリクエストは、前記複数のデータプロバイダの副セットに限定される。
【請求項４５】  請求項４４の方法であって、前記少なくとも一つのデータプロバイダを選択する工程は、前記各加入者による前記副セット中のデータプロバイダの選択を禁止する。
【請求項４６】  請求項１の方法であって、前記複数のデータプロバイダのそれぞれはデータプロバイダＩＤによって個別に同定され、前記方法は、更に、前記加入者ＩＤと、前記各加入者によって選択された少なくとも一つのデータプロバイダに関連付けられた前記データプロバイダＩＤとを、前記ネットワークに接続されたデータベースに格納する工程を有する。
【請求項４７】  請求項４６の方法であって、更に以下の工程を有する、
前記各加入者によって選択された前記少なくとも一つのデータプロバイダから受信された前記データが前記関連処理装置上で表示された日付と時間とを判定し、それぞれ、表示日付と表示時間とを提供する、そして
前記表示日付と前記表示時間とを前記データベースに格納する。
【請求項４８】  請求項４７の方法であって、更に以下の工程を有する、
前記関連処理装置の地域性に応じて前記各加入者に位置ＩＤを割り当てる、そして
前記各加入者に対する前記位置ＩＤを前記データベースに格納する。
【請求項４９】  請求項４８の方法であって、前記位置ＩＤは、郵便番号を含み、前記関連処理装置は記憶装置を備え、前記方法は、更に以下の工程を有する、
前記各加入者に対して複数のデータ表示記録を生成する、前記各加入者に対する各データ表示記録は前記データベースに格納された一つのデータプロバイダＩＤと関連付けられ、前記各データ表示記録は、前記加入者ＩＤ、前記位置ＩＤ及び前記一つのデータプロバイダＩＤ、前記一つのデータプロバイダＩＤに関連付けられた前記表示日付及び前記表示時間、を含む、
前記各加入者に対する前記複数のデータ表示記録を前記関連処理装置の前記記憶装置に格納する、そして
前記各加入者の前記複数のデータ表示記録を前記データベースに送信する。
【請求項５０】  請求項４８の方法であって、更に以下の工程を有する、
前記各加入者に対して複数のデータ表示記録を生成する、前記各加入者に対する各データ表示記録は前記データベースに格納された一つのデータプロバイダＩＤと関連付けられ、前記各データ表示記録は、前記加入者ＩＤ、前記位置ＩＤ及び前記一つのデータプロバイダＩＤ、前記一つのデータプロバイダＩＤに関連付けられた前記表示日付及び前記表示時間、を含む、そして
前記各加入者に対する前記複数のデータ表示記録を前記データベースに格納する。
【請求項５１】  請求項３の方法であって、前記ネットワークはケーブルテレビネットワークであり、前記複数の処理装置はコンバータボックスである。
【請求項５２】  請求項５１の方法であって、前記複数のデータプロバイダのそれぞれは、前記ケーブルテレビネットワークの一つの放送チャネルを代理している。
【請求項５３】  請求項５２の方法であって、前記各コンバータボックスは、テレビ受信機を含み、前記少なくとも一つのデータプロバイダを選択する工程は、前記選択放送チャネル上で受信するプログラムを表示するために放送チャネルを選択する工程であり、前記連続表示工程は、前記情報列を、前記選択放送チャネル上に受信した前記プログラムと同時に表示する工程である。
【請求項５４】  請求項５３の方法であって、前記別のデータプロバイダを選択する工程は、前記各加入者からの前記入力に応答して前記次の放送チャネルで受信するプログラムを表示するべく次の放送チャネルを選択する工程であり、前記連続表示工程は、前記情報列を、前記次の放送チャネルで受信される前記プログラムと同時に表示する工程である。
【請求項５５】  請求項５４の方法であって、前記別のデータプロバイダを選択する工程は、前記コンバータボックスと連動可能なチャネルセレクタ上のチャネルアップ又はチャネルダウンボタンを操作する工程を含む。
【請求項５６】  請求項３９の方法であって、前記複数のリンク領域の一つを選択する工程は、前記モニタの前記第２部分に前記追加情報を表示する工程を含む。
【請求項５７】  請求項３９の方法であって、前記複数のリンク領域の一つを選択する工程は、下記の工程を含む、
前記モニタの前記第２部分に、前記各加入者に対する追加データのリクエストを表示する、
前記各加入者によって前記追加データを前記入力装置に入力する、そして
前記追加データを前記データベースに格納する。
【請求項５８】  請求項２の方法であって、前記複数の処理装置のそれぞれは、入力装置と、第１部分及び第２部分を有するモニタとを備え、前記第１部分は、複数のリンク領域と複数の非リンク領域とを有し、前記複数のリンク領域のそれぞれは、前記各加入者によって選択可能であり、前記複数のデータプロバイダの一つにリンクされ、前記連続表示工程は、前記モニタの前記第１部分において前記各加入者に対する前記情報列を表示し、前記モニタの前記第２部分において各加入者によって前記少なくとも一つのデータプロバイダから受信された前記データを表示し、前記情報列を選択する工程は、前記プロファイルデータ及び前記各加入者によって選択されるリンク領域に応じて前記各加入者に対する前記情報列を選択する。
【請求項５９】  請求項２の方法であって、前記複数のデータプロバイダのそれぞれはデータプロバイダＩＤによって個別に同定され、前記方法は、更に、前記加入者ＩＤと、前記各加入者によって選択された少なくとも一つのデータプロバイダに関連付けられた前記データプロバイダＩＤとを、前記データベースに格納する工程を有する。
【請求項６０】  請求項５９の方法であって、更に以下の工程を有する、
前記各加入者によって選択された前記少なくとも一つのデータプロバイダから受信された前記データが前記関連処理装置上で表示された表示日付と表示時間とを判定する、そして
前記表示日付と前記表示時間を前記データベースに格納する。
【請求項６１】  請求項６０の方法であって、更に以下の工程を有する、
前記関連処理装置の地域性に応じて前記各加入者に位置ＩＤを割り当てる、そして
前記各加入者に対する前記位置ＩＤを前記データベースに格納する。
【請求項６２】  請求項６１の方法であって、前記位置ＩＤは、郵便番号を含み、前記関連処理装置はローカル記憶装置を備え、前記方法は、更に以下の工程を有する、
前記各加入者に対して複数のデータ表示記録を生成する、前記各加入者に対する各データ表示記録は前記データベースに格納された一つのデータプロバイダＩＤと関連付けられ、前記各データ表示記録は、前記加入者ＩＤ、前記位置ＩＤ及び前記一つのデータプロバイダＩＤ、前記一つのデータプロバイダＩＤに関連付けられた前記表示日付及び前記表示時間、を含む、
前記各加入者に対する前記複数のデータ表示記録を前記関連処理装置の前記記憶装置に格納する、そして
前記各加入者に対する前記複数のデータ表示記録を前記データベースに送信する。
【請求項６３】  請求項６１の方法であって、更に以下の工程を有する、
前記各加入者に対して複数のデータ表示記録を生成する、前記各加入者に対する各データ表示記録は前記データベースに格納された一つのデータプロバイダＩＤと関連付けられ、前記各データ表示記録は、前記加入者ＩＤ、前記位置ＩＤ及び前記一つのデータプロバイダＩＤ、前記一つのデータプロバイダＩＤに関連付けられた前記表示日付及び前記表示時間、を含む、そして
前記各加入者に対する前記複数のデータ表示記録を前記データベースに格納する。
【請求項６４】  請求項６３の方法であって、前記情報列を選択する工程は、前記プロファイルデータと前記複数のデータ表示記録とに応じて前記各加入者に対する前記情報列を選択する工程である。
【請求項６５】  請求項６３の方法であって、前記データベースは、少なくとも第１と第２と第３のデータベースを有し、前記プロファイルデータを格納する方法は、前記プロファイルデータを前記第１データベースに格納し、前記複数の情報を格納する方法は前記複数の情報を前記第２データベースに格納し、前記加入者ＩＤ及び前記データプロバイダＩＤを格納する方法は、前記加入者ＩＤ及び前記データプロバイダＩＤを前記第３データベースに格納し、前記表示日付と前記表示時間を格納する方法は、前記表示日付と前記表示時間を前記第３データベースに格納し、前記位置ＩＤを格納する方法は前記位置ＩＤを前記第３データベースに格納し、そして、前記複数のデータ表示記録を格納する方法は、前記複数のデータ表示記録を前記第３データベースに格納する。
【請求項６６】  請求項６１の方法であって、更に以下の工程を有する、
前記複数のデータプロバイダのそれぞれに対して複数のデータ表示記録を生成する、前記各データ表示記録は、前記プロファイルデータ、前記位置ＩＤ及び前記一つのデータプロバイダＩＤ、そして前記一つのデータプロバイダＩＤに関連付けられた前記表示日付及び前記表示時間を含む、そして
前記複数のデータプロバイダのそれぞれに対する前記複数のデータ表示記録を前記データベースに格納する。
【請求項６７】  請求項６６の方法であって、前記データベースは、少なくとも第１と第２と第３のデータベースを有し、前記プロファイルデータを格納する方法は、前記プロファイルデータを前記第１データベースに格納し、前記複数の情報を格納する方法は前記複数の情報を前記第２データベースに格納し、前記データプロバイダＩＤを格納する方法は、前記データプロバイダＩＤを前記第３データベースに格納し、前記表示日付及び前記表示時間を格納する方法は、前記表示日付及び前記表示時間を前記第３データベースに格納し、前記位置ＩＤを格納する方法は、前記位置ＩＤを前記第３データベースに格納し、そして、前記複数のデータ表示記録を格納する方法は、前記複数のデータ表示記録を前記第３データベースに格納する。
【請求項６８】  請求項６１の方法であって、前記位置ＩＤは郵便番号を含み、前記関連処理装置は記憶装置を備え、そして、前記方法は、更に以下の工程を有する、
前記複数のデータプロバイダのそれぞれに対して複数のデータ表示記録を生成する、前記各データ表示記録は、前記プロファイルデータ、前記位置ＩＤ及び前記一つのデータプロバイダＩＤ、そして前記一つのデータプロバイダＩＤに関連付けられた前記表示日付及び前記表示時間を含む、
前記複数のデータプロバイダのそれぞれに対する前記複数のデータ表示記録を前記関連処理装置の前記記憶装置に格納する、そして
前記複数のデータプロバイダのそれぞれに対する前記複数のデータ表示記録を前記データベースに送信する。
【請求項６９】  請求項２の方法であって、更に以下の工程を有する、
前記複数の情報中の各情報に対して固有の情報ＩＤと情報持続時間とを割り当てて、複数の情報ＩＤと複数の情報持続時間とを提供する、
前記複数の情報ＩＤと前記複数の情報持続時間とを前記データベースに格納する、そして
ここで、前記連続表示工程は、前記各加入者に対する前記情報列中の次の情報を表示する前に、前記各情報に対して割り当てられた前記情報持続時間、前記情報列中の前記各情報を表示する。
【請求項７０】  請求項６９の方法であって、前記連続表示工程は以下の工程を有する、
前記情報列中の各情報が前記関連処理装置上に表示された日付と時間とを判定して、それぞれ、表示日付と表示時間とを提供する、そして
前記各加入者に対する前記各情報の前記表示日付と前記表示時間とを前記データベースに格納する。
【請求項７１】  請求項７０の方法であって、更に以下の工程を有する、
前記各加入者に対する前記各加入者に対して複数の情報表示記録を生成する、前記各情報表示記録は、前記各加入者の加入者ＩＤと、前記各情報に関連付けられた、前記情報ＩＤ、前記表示日付、前記表示時間及び前記情報持続時間を含む、そして
前記各加入者に対する前記複数の情報表示記録を前記データベースに格納する。
【請求項７２】  請求項７１の方法であって、前記情報列を選択する工程は、前記プロファイルデータと前記情報表示記録とに応じて前記各加入者に対する前記情報列を選択する工程である。
【請求項７３】  請求項７０の方法であって、更に以下の工程を有する、
前記関連処理装置の地域性に応じて前記各加入者に位置ＩＤを割り当てる、そして
前記各加入者に対する前記位置ＩＤを前記データベースに格納する。
【請求項７４】  請求項７３の方法であって、前記位置ＩＤは郵便番号を含み、前記関連処理装置は記憶装置を有し、そして、前記方法は更に以下の工程を有する、
前記各加入者に対して複数の情報ＩＤの情報表示記録を生成する、前記各情報表示記録は、前記各加入者の加入者ＩＤ及び位置ＩＤ、そして、前記各情報に関連付けられた前記表示日付、前記表示時間、及び前記情報持続時間を含む、
前記加入者に対する前記複数の情報表示記録を前記関連処理装置の前記記憶装置に格納する、そして
前記加入者に対する前記複数の情報表示記録を前記データベースに送信する。
【請求項７５】  請求項７３の方法であって、更に以下の工程を有する、
前記各加入者に対して複数の情報表示記録を生成する、前記各情報表示記録は、前記各加入者の加入者ＩＤ及び位置ＩＤ、そして、前記各情報に関連付けられた前記情報ＩＤ、前記表示日付、前記表示時間、及び前記情報持続時間を含む、そして
前記各加入者に対する前記複数の情報表示記録を前記データベースに格納する。
【請求項７６】  請求項７５の方法であって、前記情報列を選択する工程は、前記プロファイルデータと前記情報表示記録とに応じて前記各加入者に対する前記情報列を選択する工程である。
【請求項７７】  請求項２の方法であって、前記データベースは、少なくとも第１と第２のデータベースを有し、前記プロファイルデータを格納する方法は、前記プロファイルデータを前記第１データベースに格納し、前記複数の情報を格納する方法は前記複数の情報を前記第２データベースに格納する。
【請求項７８】  請求項２の方法であって、前記複数の処理装置のそれぞれは入力装置を含み、前記プロファイルデータを格納する方法は、前記各加入者によって、前記関連処理装置の前記入力装置に前記プロファイルデータを入力する工程を有する。
【請求項７９】  請求項７８の方法であって、更に以下の工程を有する、
前記複数の処理装置のそれぞれに固有の加入者ＩＤを割り当てる、
前記各加入者によって前記入力装置に追加プロファイルデータを入力する、そして
前記各加入者に対する前記加入者ＩＤと前記追加プロファイルデータとを前記データベースに格納する。
【請求項８０】  請求項７９の方法であって、前記情報列を選択する工程は、前記プロファイルデータと前記追加プロファイルデータとに応じて前記各加入者に対する前記情報列を選択する工程である。
【請求項８１】  請求項７９の方法であって、前記データベースは、少なくとも第１と第２と第３のデータベースを有し、前記プロファイルデータを格納する方法は、前記プロファイルデータを前記第１データベースに格納し、前記複数の情報を格納する方法は前記複数の情報を前記第２データベースに格納し、前記加入者ＩＤ及び前記追加プロファイルデータを格納する方法は、前記加入者ＩＤ及び前記追加プロファイルデータを前記第３データベースに格納する。
【請求項８２】  請求項２の方法であって、前記ネットワークはコンピュータネットワークであり、前記複数の処理装置は端末であり、更に以下の工程を有する、
前記各加入者によってアクセス電話番号を選択して、前記各加入者に関連付けられた端末と前記コンピュータネットワークとの間の接続を開始する、
前記各加入者が前記ネットワークに接続することを許可されているか否かを判定するべく前記各加入者の許可を確認する、
もしも前記各加入者が前記コンピュータネットワークに接続することを許可されていないと判定された場合に、前記端末が、前記各加入者に対する前記情報列及び前記各加入者によって選択された前記少なくとも一つのデータプロバイダから受信された前記データを表示することを禁止する、
もしも前記各加入者が前記コンピュータネットワークに接続することを許可されていると判定された場合、前記端末のそれぞれと、前記コンピュータネットワークとの間の接続を確立する工程を有する。
【請求項８３】  請求項８２の方法であって、前記情報列を選択する工程は、前記各加入者に関連付けられた前記プロファイルデータ及び前記アクセス電話番号に応じて前記各加入者に対する前記情報列を選択する工程である。
【請求項８４】  請求項８２の方法であって、更に以下の工程を有する、
前記関連処理装置の地域性に応じて前記各加入者に対して位置ＩＤを割り当てる、そして
前記各加入者に対する前記位置ＩＤを前記データベースに格納する。
【請求項８５】  請求項８４の方法であって、前記位置ＩＤは、少なくとも郵便番号を含む。
【請求項８６】  請求項８５の方法であって、更に以下の工程を有する、
前記各加入者に対して格納された前記郵便番号が前記各加入者によって選択された前記アクセス電話番号と関連付けられているか否かを判定する、
前記郵便番号が前記アクセス電話番号に関連付けられていると判断された場合、前記郵便番号を位置郵便番号として前記各加入者に割り当てる、そして
前記郵便番号が前記アクセス電話番号に関連付けられていないと判断された場合、前記位置郵便番号を前記アクセス電話番号に応じて前記各加入者に割り当てる。
【請求項８７】  請求項８６の方法であって、前記情報列を選択する工程は、前記各加入者に関連付けられた前記プロファイルデータと前記位置郵便番号とに応じて前記各加入者に対する前記情報列を選択する工程である。
【請求項８８】  請求項８７の方法であって、更に、前記位置郵便番号に応じて時間帯を判定する工程を有する。
【請求項８９】  請求項８８の方法であって、更に以下の工程を有する、
前記複数の情報のそれぞれに対して表示時間範囲を割り当て、複数の表示時間範囲を提供する、そして
前記複数の表示時間範囲を前記データベースに格納する。
【請求項９０】  請求項８９の方法であって、前記情報列を選択する工程は、前記プロファイルデータ、前記位置郵便番号、前記各加入者に関連付けられた現在時間及び前記時間帯と、前記複数の表示時間範囲に応じて、前記各加入者の前記情報列を選択する工程である。
【請求項９１】  請求項８２の方法であって、更に以下の工程を有する、
前記複数の情報のそれぞれに対して表示時間範囲を割り当て、複数の表示時間範囲を提供する、そして
前記複数の表示時間範囲を前記データベースに格納する。
【請求項９２】  請求項９１の方法であって、前記情報列を選択する工程は、前記プロファイルデータ、前記各加入者に関連付けられた前記アクセス電話番号および現在時間と、前記複数の表示時間範囲とに応じて、各加入者に対する前記情報列を選択する工程である。
【請求項９３】  通信ネットワーク上の加入者に対して情報を配送するシステムであって、以下を有する、
前記ネットワークに接続された複数のデータプロバイダ、
前記ネットワークに接続されて情報の列を提供する複数の情報ソース、そして
前記ネットワークに接続された複数の処理装置、これらはそれぞれ、一人の加入者に固有に関連付けられて関連処理装置を提供するとともに、前記複数の情報ソースから前記情報列を受信するための受信機と、前記加入者によって少なくとも一つのデータプロバイダを選択するためのセレクタと、前記情報列を、前記加入者によって選択された前記少なくとも一つのデータプロバイダから受信された前記データと同時に、前記情報列と前記加入者によってリクエストされた前記データとが同時に見られるように、連続的に表示するための表示装置とを備える、
ここで、前記表示装置上に表示される前記データは前記加入者によって選択可能であり、かつ、前記表示装置上の前記情報列の表示は、前記加入者によって制御不能である。
【請求項９４】  請求項９３のシステムであって、更に以下を有する、
前記ネットワークに接続されて、各加入者のプロファイルデータと、前記ネットワークに接続された前記複数の情報ソースから受信される複数の情報とを格納する記憶装置、
前記各加入者の前記プロファイルデータに応じて前記複数の情報から前記各加入者に対する情報列を選択する情報セレクタ、
ここで、前記受信機は、前記情報セレクタから前記加入者に対する前記情報列を受信するべく作動可能である。
【請求項９５】  請求項９３又は９４のシステムであって、前記セレクタは、前記加入者からの入力に応答して別のデータプロバイダを選択するべく作動可能であり、前記表示装置は、前記情報列を、前記他のデータプロバイダから受信されたデータと同時に連続的に表示するべく作動可能である。
【請求項９６】  請求項９３又は９４のシステムであって、前記表示装置は、前記加入者によって選択された前記少なくとも一つのデータプロバイダから受信された前記データの前記表示に干渉すること無く、前記情報列を連続的に表示するべく作動可能である。
【請求項９７】  請求項９３又は９４のシステムであって、前記複数の情報ソースのそれぞれは、記憶装置を備え、前記受信機は、各記憶装置から情報を読み出して前記情報列を生成する読み出し装置を有する。
【請求項９８】  請求項９３又は９４のシステムであって、更に以下を有する、
前記加入者が前記ネットワークに接続することが許可されているか否かを判定するべく前記加入者の許可を確認する確認装置、そして
もしも前記加入者が前記ネットワークに接続することを許可されていないと判断された場合に、前記表示装置が前記情報列を表示することを禁止する禁止装置。
【請求項９９】  請求項９８のシステムであって、前記禁止装置は、もしも前記加入者が前記ネットワークに接続することを許可されていないと判断された場合に、前記表示装置が、前記加入者によって選択された前記少なくとも一つのデータプロバイダから受信された前記データを表示することを禁止するべく作動可能である。
【請求項１００】  請求項９３又は９４のシステムであって、更に以下を有する、
前記加入者が前記ネットワークに接続することを許可されているか否かを判定するべく前記加入者の許可を確認する装置、そして
もしも前記加入者が前記ネットワークに接続することを許可されていないと判断された場合に、前記表示装置が、前記加入者によって選択された前記少なくとも一つのデータプロバイダから受信された前記データを表示することを禁止する禁止装置。
【請求項１０１】  請求項９３又は９４のシステムであって、前記情報列は、広告、メッセージ又は告知、ニュース及び最新情報の列を含む。
【請求項１０２】  請求項９３又は９４のシステムであって、前記情報は、テキスト、静止画、動画、及び映像成分と音声成分を有する。
【請求項１０３】  請求項９９のシステムであって、前記ネットワークはコンピュータネットワークであり、前記関連処理装置は端末である。
【請求項１０４】  請求項１０３のシステムであって、更に以下を有する、
前記通信ネットワーク上の前記加入者に対して固有の加入者ＩＤとパスワードとを割り当てるための装置、そして
前記加入者に対する前記加入者ＩＤと前記パスワードとを格納するための記憶装置。
【請求項１０５】  請求項１０４のシステムであって、前記端末が、前記端末と前記コンピュータネットワークとの間の接続を確立するための接続装置を有する。
【請求項１０６】  請求項１０５のシステムであって、前記端末は、更に、前記加入者によって加入者ＩＤとパスワードとを入力して、前記端末と前記通信ネットワークとの間の接続を開始するための入力装置と、前記入力装置に入力された前記加入者ＩＤと前記パスワードとを確認のために前記記憶装置に送信する送信機とを有し、前記システムは更に以下を有する、
前記入力装置に入力された前記加入者ＩＤが前記記憶装置に格納されている前記加入者ＩＤの一つと一致するか否かを判定して許可加入者ＩＤを提供する装置、
ここで、前記確認装置は、前記許可加入者ＩＤが見つかった場合に、前記入力装置に入力された前記パスワードが前記許可加入者ＩＤと関連付けられた前記パスワードと一致することを確認するべく作動可能であり、そして
前記接続装置は、もしも前記入力装置に入力された前記パスワードが前記許可加入者ＩＤと関連付けられた前記記憶装置に格納されたパスワードと一致すると判定された場合に、前記加入者と関連付けられた前記端末を前記コンピュータネットワークに接続するべく作動可能である。
【請求項１０７】  請求項９６のシステムであって、前記ネットワークはコンピュータネットワークであり、前記関連処理装置は端末である。
【請求項１０８】  請求項１０７のシステムであって、前記複数のデータプロバイダのそれぞれは、前記コンピュータネットワーク上のサーバであり、前記セレクタは、前記加入者によって前記少なくとも一つのデータプロバイダから表示するべきデータを選択するべく作動可能である。
【請求項１０９】  請求項１０８のシステムであって、前記セレクタは以下を有する、
前記コンピュータネットワークに接続された前記少なくとも一つのサーバからの前記データに対するリクエストを前記加入者によって入力する入力装置、そして
前記データに対する前記リクエストを、前記加入者に関連付けられた前記端末から前記少なくとも一つのサーバに送信する送信機。
【請求項１１０】  請求項９３又は９４のシステムであって、前記ネットワークはコンピュータネットワークであり、前記受信機は、前記ネットワークに接続された情報アドレスプロバイダからアドレスの列を受信するべく作動可能であり、各アドレスは、前記複数の情報ソース中の前記情報列の一つの位置を示し、そして
前記関連処理装置は、前記アドレス列に応じて、前記複数の情報ソースから前記情報列を読み出すための装置を有する。
【請求項１１１】  請求項９９のシステムであって、更に以下を有する、
前記複数の処理装置のそれぞれに対して固有の加入者ＩＤを割り当てるための装置、
もしも前記加入者が前記ネットワークに接続することを許可されていると判定された場合、前記加入者に対してログイン時間とログイン日付とを生成するための時間装置、そして
前記加入者が前記ネットワークに接続することを許可されていると判定された場合、前記加入者に対して前記加入者ＩＤ、前記ログイン時間及び前記ログイン日付を格納するための、前記ネットワークに接続された記憶装置。
【請求項１１２】  請求項１１１のシステムであって、前記時間装置は、前記関連処理装置内に配設され、かつ、前記ネットワークに接続されたソースから、仮想日付と仮想時間を受信し、前記加入者に対する前記ログイン時間と前記ログイン日付とを、前記仮想時間と前記仮想日付とのそれぞれの関数として生成するべく作動可能である。
【請求項１１３】  請求項１１１又は１１２のシステムであって、更に以下を有する、
前記関連処理装置がもはや前記ネットワークに接続されていないかどうかを判定する接続解除装置、そして
前記時間装置は、もしも前記関連処理装置がもはや前記ネットワークに接続されていないと判定された場合、前記加入者に対してログアウト時間とログアウト日付を生成するべく作動可能であり、そして
前記記憶装置は、もしも前記関連処理装置がもはや前記ネットワークに接続されていないと判定された場合、前記加入者に対する前記ログアウト時間とログアウト日付を格納するべく作動可能である。
【請求項１１４】  請求項１１３のシステムであって、前記接続解除装置は、前記加入者に対するセッション持続時間を、前記ログイン時間、前記ログイン日付、前記ログアウト日付及び前記ログアウト時間の関数として生成するべく作動可能であり、そして
前記記憶装置は、前記加入者に対する前記セッション持続時間を格納するべく作動可能である。
【請求項１１５】  請求項１１４のシステムであって、前記接続解除装置は、前記加入者ＩＤ、前記ログイン時間、前記ログイン日付、前記ログアウト日付、前記ログアウト時間及び前記セッション持続時間を含む前記加入者に対するセッション使用記録を生成するべく作動可能であり、そして
前記記憶装置は、前記セッション使用記録を格納するべく作動可能である。
【請求項１１６】  請求項１１３のシステムであって、更に以下を有する、
前記情報列中の各情報に対して固有の情報ＩＤと情報持続時間とを割り当てて、複数の情報ＩＤと複数の情報持続時間を提供するための装置、
ここで、前記記憶装置は、前記複数の情報ＩＤと前記複数の情報持続時間を格納するべく作動可能であり、そして
前記表示装置は、前記情報列中の次の情報を表示する前に、前記各情報に対して割り当てられた前記情報持続時間、前記情報列中の前記各情報を表示するべく作動可能である。
【請求項１１７】  請求項１１６のシステムであって、前記関連処理装置は、前記情報列中のどの情報が、前記ログイン時間、前記ログイン日付、前記ログアウト日付、前記ログアウト時間、及び前記複数の情報持続時間の関数として前記関連処理装置上に表示されたかを判定して、前記加入者に対する表示情報のリストを提供するための装置を有し、そして
前記記憶装置は、前記加入者に対する前記表示情報リストを格納するべく作動可能である。
【請求項１１８】  請求項１１７のシステムであって、前記加入者に対する前記表示情報リストは、前記表示情報に対応する情報ＩＤのリストを含む。
【請求項１１９】  請求項１１８のシステムであって、前記関連処理装置は、前記表示情報リスト中の各情報ＩＤが、前記ログイン時間、前記ログイン日付、前記ログアウト日付、前記ログアウト時間、及び前記複数の情報持続時間の関数として前記関連処理装置上に表示された日付と時間を判定して、前記加入者に対する前記表示情報リスト中の前記各情報ＩＤに対する表示日付と表示時間を提供するための装置を有し、そして
前記記憶装置は、前記加入者に対する前記表示情報リスト中の前記各情報ＩＤの前記表示日付と前記表示時間とを格納するべく作動可能である。
【請求項１２０】  請求項１１９のシステムであって、前記関連処理装置は、前記加入者に対する前記表示情報リスト中の各情報ＩＤに対する情報表示記録を生成する装置を含み、前記情報表示記録は、前記加入者の情報ＩＤと前記加入者ＩＤ、及び前記表示日付、前記表示時間、及び前記情報ＩＤに関連付けられた前記情報持続時間を含む、そして
前記記憶装置は、前記情報表示記録を格納するべく作動可能である。
【請求項１２１】  請求項１１９のシステムであって、更に以下を有する、
前記関連処理装置の地域性に応じて前記加入者に位置ＩＤを割り当てるための装置、そして
前記記憶装置は、前記加入者に対する前記位置ＩＤを格納するべく作動可能である。
【請求項１２２】  請求項１２１のシステムであって、前記位置ＩＤは郵便番号を含み、前記関連処理装置は、更に以下を有する、
前記加入者に対して前記表示情報リスト中の各情報ＩＤに対する情報表示記録を生成するための装置、前記情報表示記録は、情報ＩＤ、前記加入者の前記加入者ＩＤ及び前記位置ＩＤ、そして、前記情報ＩＤに関連付けられた前記表示日付、前記表示時間、及び前記情報持続時間を含む、
前記情報表示記録をローカル的に格納するためのローカル記憶装置、そして
前記情報表示記録を前記ネットワークに接続された前記記憶装置に送信する送信機。
【請求項１２３】  請求項１２１のシステムであって、前記関連処理装置は、前記加入者に対して前記表示情報リスト中の各情報ＩＤに対する情報表示記録を生成するための装置を有し、前記情報表示記録は、情報ＩＤ、前記加入者の前記加入者ＩＤ及び前記位置ＩＤ、そして、前記情報ＩＤに関連付けられた前記表示日付、前記表示時間、及び前記情報持続時間を含み、そして
前記記憶装置は、前記情報表示記録を格納するべく作動可能である。
【請求項１２４】  請求項１１４のシステムであって、更に以下を有する、
前記関連処理装置の地域性に応じて前記加入者に位置ＩＤを割り当てるための装置、そして
前記記憶装置は、前記加入者に対する前記位置ＩＤを格納するべく作動可能である。
【請求項１２５】  請求項１２４のシステムであって、前記位置ＩＤは郵便番号を含む。
【請求項１２６】  請求項１２４のシステムであって、前記接続解除装置は、前記加入者ＩＤ、前記ログイン時間、前記ログイン日付、前記ログアウト日付、前記ログアウト時間、前記セッション持続時間及び前記位置ＩＤを含む前記加入者に対するセッション使用記録を生成するべく作動可能であり、そして
前記記憶装置は、前記セッション使用記録を格納するべく作動可能である。
【請求項１２７】  請求項１１３のシステムであって、前記関連処理装置は更に以下を有する、
もしも前記加入者が前記ネットワークに接続することを許可されていると判断された場合、特定間隔で時報信号を生成するための装置、そして
前記時報信号を前記記憶装置に送信するための送信機、
ここで、前記記憶装置は、前記加入者からの次の時報信号の予想時間を更新するべく作動可能であり、そして
前記時間装置は、前記時報信号がほぼ前記予想時間内に前記関連処理装置から受信されなかった場合に、前記加入者に対して前記ログアウト時間及びログアウト日付を生成するべく作動可能である。
【請求項１２８】  請求項９６のシステムであって、前記関連処理装置は入力装置を有し、前記表示装置は、前記情報列を表示するための第１部分と、前記加入者によって選択された前記少なくとも一つのデータプロバイダから受信された前記データを表示するための第２部分とを備えている。
【請求項１２９】  請求項１２８のシステムであって、更に以下を有する、
前記情報列中の各情報に対して固有の情報ＩＤと情報持続時間とを割り当てて、複数の情報ＩＤと複数の情報持続時間を提供するための装置、そして
前記ネットワークに接続され、前記複数の情報ＩＤと前記複数の情報時間を格納するための記憶装置、
ここで、前記表示装置は、前記加入者に対する前記情報列中の次の情報を表示する前に、前記各情報に対して割り当てられた前記情報持続時間、前記情報列中の前記各情報を表示するべく作動可能である。
【請求項１３０】  請求項１２９のシステムであって、前記表示装置の前記第１部分は、複数のリンク領域と複数の非リンク領域とに分割され、前記複数のリンク領域のそれぞれは、前記複数のデータプロバイダの一つにリンクされ、そして
前記関連処理装置は、更に、追加情報を受信するべく、前記各加入者によって前記複数のリンク領域の一つを選択するための領域セレクタを有する。
【請求項１３１】  請求項１３０のシステムであって、更に以下を有する、前記関連処理装置に対して固有の加入者ＩＤを割り当てるための装置、
ここで、前記複数のデータプロバイダのそれぞれは、データプロバイダＩＤによって個別に同定される、
前記関連処理装置は、更に以下を有する、
前記情報列中のどの情報が、前記表示装置の前記第１部分上に表示されているかを検出して、表示情報ＩＤを提供する検出装置、
前記表示情報ＩＤに対応する情報が前記関連処理装置上に表示された日付と時間とを判定して、それぞれ、表示日付と表示時間を提供する時間装置、
ここで、前記検出装置は、前記複数のリンク領域中のどの一つのリンク領域が、前記表示情報ＩＤに対応する前記情報表示中に前記加入者によって選択されたかを検出して、選択データプロバイダＩＤを提供するべく作動可能である、そして
前記記憶装置は、もしも前記複数のリンク領域の前記一つのリンク領域が前記加入者によって選択されたと判断された場合、前記加入者に対する前記加入者ＩＤ、前記表示情報ＩＤ、前記選択データプロバイダＩＤ、前記表示日付及び前記表示時間を格納するべく作動可能である。
【請求項１３２】  請求項１３１のシステムであって、更に以下を有する、
前記関連処理装置の地域性に応じて前記加入者に位置ＩＤを割り当てるための装置、そして
前記記憶装置は、前記加入者に対する前記位置ＩＤを格納するべく作動可能である。
【請求項１３３】  請求項１３２のシステムであって、前記位置ＩＤは郵便番号を含み、前記関連処理装置は更に以下を有する、
前記加入者に対して複数のクリックイベント記録を生成するための装置、前記加入者に対する前記各クリックイベント記録は一つの選択されたデータプロバイダＩＤと関連付けられ、前記各クリックイベント記録は、前記加入者ＩＤ、前記位置ＩＤ及び前記一つのデータプロバイダＩＤ、前記一つのデータプロバイダＩＤに関連付けられた前記表示情報ＩＤ、前記表示日付及び前記表示時間を含む、
前記加入者に対する前記複数のクリックイベント記録をローカル的に格納するためのローカル記憶装置、そして
前記加入者に対する前記複数のクリックイベント記録を前記ネットワークに接続された前記記憶装置に送信する送信機。
【請求項１３４】  請求項１３２のシステムであって、前記関連処理装置は、更に以下を有する、
前記加入者に対して複数のクリックイベント記録を生成するための装置、前記加入者に対する前記各クリックイベント記録は一つの選択されたデータプロバイダＩＤと関連付けられ、前記各クリックイベント記録は、前記加入者ＩＤ、前記位置ＩＤ及び前記一つのデータプロバイダＩＤ、前記一つのデータプロバイダＩＤに関連付けられた前記表示日付及び前記表示時間を含む、そして
前記記憶装置は、前記加入者に対する前記複数のクリックイベント記録を格納するべく作動可能である。
【請求項１３５】  請求項９３又は９４のシステムであって、前記加入者に対する前記情報列中の各情報は、前記複数のデータプロバイダの一つからのデータに対するアンソリシットなリクエストである。
【請求項１３６】  請求項１３５のシステムであって、前記データに対するアンソリシットなリクエストは、前記複数のデータプロバイダの副セットに限定される。
【請求項１３７】  請求項１３６のシステムであって、更に、前記加入者による前記副セット中のデータプロバイダの選択を前記セレクタが禁止するための禁止装置を有する。
【請求項１３８】  請求項９３のシステムであって、前記複数のデータプロバイダのそれぞれはデータプロバイダＩＤによって個別に同定され、前記システムは、更に、前記ネットワークに接続されて、前記加入者ＩＤと、前記各加入者によって選択された少なくとも一つのデータプロバイダに関連付けられた前記データプロバイダＩＤとを格納する記憶装置を有する。
【請求項１３９】  請求項１３８のシステムであって、前記関連処理装置は、更に以下を有する、
前記加入者によって選択された前記少なくとも一つのデータプロバイダから受信された前記データが前記表示装置上で表示された日付と時間とを判定し、それぞれ、表示日付と表示時間とを提供するための時間装置、そして
前記記憶装置は、前記表示日付と前記表示時間とを格納するべく作動可能である。
【請求項１４０】  請求項１３９のシステムであって、更に以下を有する、
前記関連処理装置の地域性に応じて前記加入者に位置ＩＤを割り当てるための装置、そして
前記記憶装置は、前記加入者に対する前記位置ＩＤを格納するべく作動可能である。
【請求項１４１】  請求項１４０のシステムであって、前記位置ＩＤは、郵便番号を含み、前記関連処理装置は更に以下を有する、
前記加入者に対して複数のデータ表示記録を生成する装置、前記加入者に対する各データ表示記録は前記記憶装置に格納された一つのデータプロバイダＩＤと関連付けられ、前記各データ表示記録は、前記加入者ＩＤ、前記位置ＩＤ及び前記一つのデータプロバイダＩＤ、前記一つのデータプロバイダＩＤに関連付けられた前記表示日付及び前記表示時間を含む、
前記加入者に対する前記複数のデータ表示記録をローカル的に格納するためのローカル記憶装置、そして
前記加入者対する前記複数のデータ表示記録を前記ネットワークに接続された前記記憶装置に送信する送信機。
【請求項１４２】  請求項１４０のシステムであって、前記関連処理装置は更に以下を有する、
前記加入者に対して複数のデータ表示記録を生成する装置、前記加入者に対する各データ表示記録は前記記憶装置に格納された一つのデータプロバイダＩＤと関連付けられ、前記各データ表示記録は、前記加入者ＩＤ、前記位置ＩＤ及び前記一つのデータプロバイダＩＤ、前記一つのデータプロバイダＩＤに関連付けられた前記表示日付及び前記表示時間を含む、そして
前記記憶装置は、前記加入者に対する前記複数のデータ表示記録を格納するべく作動可能である。
【請求項１４３】  請求項９５のシステムであって、前記ネットワークはケーブルテレビネットワークであり、前記複数の処理装置はコンバータボックスである。
【請求項１４４】  請求項１４３のシステムであって、前記複数のデータプロバイダのそれぞれは、前記ケーブルテレビネットワークの一つの放送チャネルを代理している。
【請求項１４５】  請求項１４４のシステムであって、前記各コンバータボックスは、テレビ受信機を有し、前記セレクタは、前記選択放送チャネル上で受信するプログラムを表示するために放送チャネルを選択するべく作動可能であり、前記表示装置は、前記情報列を、前記選択放送チャネル上に受信した前記プログラムと同時に連続的に表示するべく作動可能である。
【請求項１４６】  請求項１４５のシステムであって、前記セレクタは、前記加入者からの前記入力に応答して前記次の放送チャネルで受信するプログラムを表示するべく次の放送チャネルを選択するべく作動可能であり、前記表示装置は、前記情報列を、前記次の放送チャネルで受信される前記プログラムと同時に連続的に表示するべく作動可能である。
【請求項１４７】  請求項１４６のシステムであって、前記セレクタは、前記コンバータボックスと連動可能なチャネルアップ又はチャネルダウンボタンを有する。
【請求項１４８】  請求項１３１のシステムであって、前記領域セレクタは、前記表示装置の前記第２部分に前記追加情報を表示するように前記表示装置を制御するべく作動可能である。
【請求項１４９】  請求項１３１のシステムであって、前記領域セレクタは、前記表示装置の前記第２部分に前記加入者に対して追加情報のリクエストを表示するように前記表示装置を制御するべく作動可能であり、前記入力装置は前記加入者によって前記追加情報を入力するべく作動可能であり、前記記憶装置は、前記追加情報を格納するべく作動可能である。
【請求項１５０】  請求項９４のシステムであって、前記関連処理装置は入力装置を備え、前記表示装置は第１部分及び第２部分を有し、前記第１部分は、複数のリンク領域と複数の非リンク領域とを有し、前記複数のリンク領域のそれぞれは、前記各加入者によって選択可能であり、前記複数のデータプロバイダの一つにリンクされ、
前記表示装置は、前記表示装置の前記第１部分において前記各加入者に対する前記情報列、及び、前記表示装置の前記第２部分において各加入者によって選択された前記少なくとも一つのデータプロバイダから受信した前記データを表示するべく作動可能であり、
前記情報セレクタは、前記プロファイルデータ及び前記各加入者によって選択されたリンク領域に応じて前記各加入者に対する前記情報列を選択するべく作動可能である。
【請求項１５１】  請求項９４のシステムであって、前記複数のデータプロバイダのそれぞれはデータプロバイダＩＤによって個別に同定され、前記システムは、更に、前記ネットワークに接続されて、前記加入者ＩＤと、前記加入者によって選択された少なくとも一つのデータプロバイダに関連付けられた前記データプロバイダＩＤとを格納する記憶装置を有する。
【請求項１５２】  請求項１５１のシステムであって、前記関連処理装置は、更に以下を有する、
前記加入者によって選択された前記少なくとも一つのデータプロバイダから受信された前記データが前記関連処理装置上で表示された日付と時間とを判定し、それぞれ、表示日付と表示時間とを提供するための時間装置、そして
前記記憶装置は、前記表示日付と前記表示時間を格納するべく作動可能である。
【請求項１５３】  請求項１５２のシステムであって、更に以下を有する、
前記関連処理装置の地域性に応じて前記加入者に位置ＩＤを割り当てるための装置、そして
前記記憶装置は、前記加入者に対する前記位置ＩＤを格納するべく作動可能である。
【請求項１５４】  請求項１５３のシステムであって、前記位置ＩＤは、郵便番号を含み、前記関連処理装置は更に以下を有する、
前記加入者に対して複数のデータ表示記録を生成する装置、前記加入者に対する各データ表示記録は前記記憶装置に格納された一つのデータプロバイダＩＤと関連付けられ、前記各データ表示記録は、前記加入者ＩＤ、前記位置ＩＤ及び前記一つのデータプロバイダＩＤ、前記一つのデータプロバイダＩＤに関連付けられた前記表示日付及び前記表示時間を含む、そして
前記加入者に対する前記複数のデータ表示記録をローカル的に格納するローカル記憶装置、そして
前記加入者に対する前記複数のデータ表示記録を前記ネットワークに接続された前記記憶装置に送信する送信機。
【請求項１５５】  請求項１５３のシステムであって、前記関連処理装置は更に以下を有する、
前記加入者に対して複数のデータ表示記録を生成する装置、前記加入者に対する各データ表示記録は前記記憶装置に格納された一つのデータプロバイダＩＤと関連付けられ、前記各データ表示記録は、前記加入者ＩＤ、前記位置ＩＤ及び前記一つのデータプロバイダＩＤ、前記一つのデータプロバイダＩＤに関連付けられた前記表示日付及び前記表示時間、を含む、そして
前記記憶装置は、前記加入者に対する前記複数のデータ表示記録を格納するべく作動可能である。
【請求項１５６】  請求項１５５のシステムであって、前記情報セレクタは、前記プロファイルデータと前記複数のデータ表示記録とに応じて前記加入者に対する前記情報列を選択するべく作動可能である。
【請求項１５７】  請求項１５５のシステムであって、前記記憶装置は、少なくとも、前記プロファイルデータを格納するための第１記憶装置と、前記複数の情報を格納するための第２記憶装置と、前記加入者ＩＤ、前記データプロバイダＩＤ、前記表示日付、前記表示時間、前記位置ＩＤ、及び前記複数のデータ表示記録を格納するための第３記憶装置とを有する。
【請求項１５８】  請求項１５３のシステムであって、更に以下を有する、
複数のデータプロバイダのそれぞれに対して複数のデータ表示記録を生成するための装置、前記各データ表示記録は、前記プロファイルデータ、前記位置ＩＤ及び前記一つのデータプロバイダＩＤ、そして前記一つのデータプロバイダＩＤに関連付けられた前記表示日付及び前記表示時間を含む、そして
前記記憶装置は、前記加入者に対する前記複数のデータ表示記録を格納するべく作動可能である。
【請求項１５９】  請求項１５８のシステムであって、前記記憶装置は、少なくとも、前記プロファイルデータを格納するための第１記憶装置と、前記複数の情報を格納するための第２記憶装置と、前記データプロバイダＩＤ、前記表示日付、前記表示時間、前記位置ＩＤ、及び前記複数のデータ表示記録を格納するための第３記憶装置とを有する。
【請求項１６０】  請求項１５３のシステムであって、前記関連処理装置は更に以下を有する、
前記複数のデータプロバイダのそれぞれに対して複数のデータ表示記録を生成するための装置、前記各データ表示記録は、前記プロファイルデータ、前記位置ＩＤ及び前記一つのデータプロバイダＩＤ、そして前記一つのデータプロバイダＩＤに関連付けられた前記表示日付及び前記表示時間を含む、
前記複数のデータプロバイダのそれぞれに対する前記複数のデータ表示記録をローカル的に格納するローカル記憶装置、そして
前記複数のデータプロバイダのそれぞれの前記複数のデータ表示記録を前記ネットワークに接続された前記記憶装置に送信する送信機。
【請求項１６１】  請求項９４のシステムであって、更に以下を有する、
前記複数の情報中の各情報に対して固有の情報ＩＤと情報持続時間とを割り当てて、複数の情報ＩＤと複数の情報持続時間を提供するための装置、
前記記憶装置は、前記複数の情報ＩＤと前記複数の情報時間を格納するべく作動可能であり、そして
前記表示装置は、前記加入者に対する前記情報列中の次の情報を表示する前に、前記各情報に対して割り当てられた前記情報持続時間、前記情報列中の前記各情報を連続的に表示するべく作動可能である。
【請求項１６２】  請求項１６１のシステムであって、前記関連処理装置は以下を有する、
前記加入者に対する前記情報列中の各情報が前記関連処理装置上に表示される日付と時間を判定して、それぞれ、表示日付と表示時間とを提供するための装置、そして
前記記憶装置は、前記加入者に対する前記各情報の前記表示日付と前記表示時間とを格納するべく作動可能である。
【請求項１６３】  請求項１６２のシステムであって、前記関連処理装置は、更に以下を有する、
前記加入者に対して複数の情報表示記録を生成するための装置、各情報表示記録は、前記加入者の加入者ＩＤと、前記各情報に関連付けられた、前記情報ＩＤ、前記表示日付、前記表示時間及び前記情報持続時間を含む、そして
前記記憶装置は、前記複数の情報表示記録を格納するべく作動可能である。
【請求項１６４】  請求項１６３のシステムであって、前記情報セレクタは、前記プロファイルデータと前記情報表示記録とに応じて前記加入者に対する前記情報列を選択するべく作動可能である。
【請求項１６５】  請求項１６２のシステムであって、更に以下を有する、
前記関連処理装置の地域性に応じて前記加入者に位置ＩＤを割り当てるための装置、そして
前記記憶装置は、前記加入者に対する前記位置ＩＤを格納するべく作動可能である。
【請求項１６６】  請求項１６５のシステムであって、前記位置ＩＤは郵便番号を含み、前記関連処理装置は、以下を有する、
前記加入者に対して複数の情報表示記録を生成するための装置、前記各情報表示記録は、前記加入者の加入者ＩＤ及び位置ＩＤ、そして、前記各情報に関連付けられた前記情報ＩＤ、前記表示日付、前記表示時間、及び前記情報持続時間を含む、
前記加入者に対する前記複数の情報表示記録をローカル的に格納するための記憶装置、そして
前記加入者に対する前記複数の情報表示記録を前記ネットワークに接続された前記記憶装置に送信する送信機。
【請求項１６７】  請求項１６５のシステムであって、前記関連処理装置は、前記加入者に対して複数の情報表示記録を生成するための装置を有し、前記各情報表示記録は、前記加入者の前記加入者ＩＤ及び前記位置ＩＤ、そして、前記各情報に関連付けられた前記情報ＩＤ、前記表示日付、前記表示時間、及び前記情報持続時間を含み、そして
前記記憶装置は、前記複数の情報表示記録を格納するべく作動可能である。
【請求項１６８】  請求項１６７のシステムであって、前記情報セレクタは、前記プロファイルデータと前記情報表示記録とに応じて前記加入者に対する前記情報列を選択するべく作動可能である。
【請求項１６９】  請求項９４のシステムであって、前記記憶装置は、少なくとも、前記プロファイルデータを格納するための第１記憶装置と、前記複数の情報を格納するための第２記憶装置とを有する。
【請求項１７０】  請求項９４のシステムであって、前記関連処理装置は前記加入者によって前記プロファイルデータを入力するための入力装置を有し、前記記憶装置は、前記加入者によって入力された前記プロファイルデータを格納するべく作動可能である。
【請求項１７１】  請求項１７０のシステムであって、更に以下を有する、
前記複数の処理装置のそれぞれに固有の加入者ＩＤを割り当てるための装置、
前記入力装置は、前記加入者によって追加プロファイルデータを入力するべく作動可能である、そして
前記記憶装置は、前記加入者に対する前記加入者ＩＤと前記追加プロファイルデータとを格納するべく作動可能である。
【請求項１７２】  請求項１７１のシステムであって、前記情報セレクタは、前記プロファイルデータと前記追加プロファイルデータとに応じて前記加入者に対する前記情報列を選択するべく作動可能である。
【請求項１７３】  請求項１７１のシステムであって、前記記憶装置は、少なくとも、前記プロファイルデータを格納するための第１記憶装置と、前記複数の情報を格納するための第２記憶装置と、前記加入者ＩＤ、前記データプロバイダＩＤ及び前記追加プロファイルデータを格納するための第３記憶装置とを有する。
【請求項１７４】  請求項９４のシステムであって、前記ネットワークはコンピュータネットワークであり、前記関連処理装置は端末であり、前記システムは更に以下を有する、
前記加入者によってアクセス電話番号を選択して、前記端末と前記コンピュータネットワークとの間の接続を開始する電話セレクタ、
前記加入者が前記ネットワークに接続することが許可されているか否かを判定するべく前記加入者の許可を確認する確認装置、
もしも前記加入者が前記コンピュータネットワークに接続することを許可されていないと判定された場合に、前記表示装置が、前記加入者に対する前記情報列及び前記加入者によって選択された前記少なくとも一つのデータプロバイダから受信された前記データを表示することを禁止する禁止装置、
もしも前記加入者が前記コンピュータネットワークに接続することを許可されていると判定された場合に、前記端末と前記コンピュータネットワークとの間の接続を確立する接続装置。
【請求項１７５】  請求項１７４のシステムであって、前記情報セレクタは、前記加入者に関連付けられた前記プロファイルデータ及び前記アクセス電話番号に応じて前記加入者に対して前記情報列を選択するべく作動可能である。
【請求項１７６】  請求項１７４のシステムであって、更に以下を有する、
前記関連処理装置の地域性に応じて前記加入者に対して位置ＩＤを割り当てる装置、そして
前記記憶装置は、前記加入者に対する前記位置ＩＤを格納するべく作動可能である。
【請求項１７７】  請求項１７６のシステムであって、前記位置ＩＤは、少なくとも郵便番号を含む。
【請求項１７８】  請求項１７７のシステムであって、更に以下を有する、
前記加入者に対する前記郵便番号が前記加入者によって選択された前記アクセス電話番号と関連付けられているか否かを判定するための装置と、
前記郵便番号が前記アクセス電話番号に関連付けられていると判断された場合、前記郵便番号を位置郵便番号として前記加入者に割り当てる割り当て装置、そして
前記割り当て装置は、前記郵便番号が前記アクセス電話番号に関連付けられていないと判断された場合、前記加入者に対する前記位置郵便番号を前記アクセス電話番号に応じて割り当てるべく作動可能である。
【請求項１７９】  請求項１７８のシステムであって、前記情報セレクタは、前記加入者に関連付けられた前記プロファイルデータと前記位置郵便番号とに応じて前記加入者に対して前記情報列を選択するべく作動可能である。
【請求項１８０】  請求項１７９のシステムであって、更に、前記位置郵便番号に応じて時間帯を判定する装置を有する。
【請求項１８１】  請求項１８０のシステムであって、更に以下を有する、
前記複数の情報のそれぞれに対して表示時間範囲を割り当て、複数の表示時間範囲を提供するための装置、そして
前記記憶装置は、前記複数の表示時間範囲を格納するべく作動可能である。
【請求項１８２】  請求項１８１のシステムであって、前記情報セレクタは、前記プロファイルデータ、前記位置郵便番号、前記加入者に関連付けられた現在時間及び前記時間帯と、前記複数の表示時間範囲に応じて、前記加入者に対する前記情報列を選択するべく作動可能である。
【請求項１８３】  請求項１７４のシステムであって、更に以下を有する、
前記複数の情報のそれぞれに対して表示時間範囲を割り当て、複数の表示時間範囲を提供する装置、そして
前記記憶装置は、前記複数の表示時間範囲を格納するべく作動可能である。
【請求項１８４】  請求項１８３のシステムであって、前記情報セレクタは、前記プロファイルデータ、前記アクセス電話番号、前記加入者に関連付けられた現在時間、および前記複数の表示時間範囲に応じて、加入者の前記情報列を選択するべく作動可能である。
【請求項１８５】  不完全で均一なリソースロケータに応答して、インターネット上で、端末をホストサーバに接続する方法であって、前記端末がモニタと入力装置とを備えるものに於いて、前記方法は、以下の工程を有する、
前記ホストサーバに対応するユーザによって前記入力装置にホスト名を入力して前記不完全均一リソースロケータを提供する、そして
前記ホストサーバの関数として前記不完全均一リソースロケータの残りの成分を文脈的に判定する。
【請求項１８６】  請求項１８５の方法であって、前記文脈的判定工程は、前記ホストサーバのドメインを、特定のドメインのホストサーバの数の確立分布の関数として判定する工程である。
【請求項１８７】  請求項１８５の方法であって、前記モニタは複数のクリック可能ボタンを有し、これら複数クリック可能ボタンのそれぞれは均一リソースロケータの一つの成分に対応し、前記文脈的判定工程は、前記複数のクリック可能ボタンの単数又は複数のボタンが前記ユーザによってクリックされたことに応答して、前記不完全均一リソースロケータの前記残り成分を文脈的に判定する工程である。
【請求項１８８】  不完全で均一なリソースロケータに応答して、インターネット上で、コンピュータ端末をホストサーバに接続する装置であって、以下を有する、
前記不完全均一リソースロケータの残りの成分を、ユーザによって入力されたホスト名の関数として文脈的に判定して完全で均一なリソースロケータを提供するための装置、そして
前記ホスト名は、前記ホストサーバに対応している。
【請求項１８９】  請求項１８８の装置であって、前記文脈的判定のための装置は、前記ホストサーバのドメインを、特定のドメインのホストサーバの数の確立分布の関数として判定するべく作動可能である。
【請求項１９０】  請求項１８８の装置であって、前記端末は、複数のクリック可能ボタンを備えたモニタを有し、これら複数クリック可能ボタンのそれぞれは均一リソースロケータの一つの成分に対応し、前記文脈的判定装置は、前記複数のクリック可能ボタンの単数又は複数のボタンが前記ユーザによってクリックされたことに応答して、前記不完全均一リソースロケータの前記残り成分を文脈的に判定する。
【手続補正２】
【補正対象書類名】図面
【補正対象項目名】図４
【補正方法】変更
【補正の内容】
【図４】
2002514025.tif 000001